(57)【要約】【課題】かつらベース及びかつらにおいて、かつらの浮き上がりを防止する。【解決手段】かつらベース２は、外枠部材４と、人毛又は人工毛からなる毛髪３が植毛されるベース部材５と、外枠部材４とベース部材５との間に設けられた伸縮性部材６と、を備える。【選択図】図１
2010007213.tif 000002
【特許請求の範囲】
【請求項１】
外枠部材と、
人毛又は人工毛からなる毛髪が植毛されるベース部材と、
前記外枠部材と前記ベース部材との間に設けられた伸縮性部材と、
を備えることを特徴とするかつらベース。
【請求項２】
前記ベース部材は、前記毛髪が植毛され互いに同一方向に延びる複数の線状部材を有することを特徴とする請求項１記載のかつらベース。
【請求項３】
前記伸縮性部材は、前記外枠部材と略平行に延びるベース側伸縮部、及び、該ベース側伸縮部と前記外枠部材との間に架け渡された複数の外枠側伸縮部を有することを特徴とする請求項１又は請求項２記載のかつらベース。
【請求項４】
前記伸縮性部材と前記ベース部材との間に設けられた内枠部材を更に備えることを特徴とする請求項１又は請求項２記載のかつらベース。
【請求項５】
前記外枠部材は、平面視略Ｕ字状を呈することを特徴とする請求項１から請求項４のいずれか１項記載のかつらベース。
【請求項６】
請求項１から請求項５のいずれか１項記載のかつらベースと、
該かつらベースのベース部材に植毛された毛髪と、
を備えることを特徴とするかつら。
【発明の詳細な説明】
【技術分野】
【０００１】
本発明は、人毛又は人工毛からなる毛髪が植毛されるかつらベース、及びかつらに関し、更に詳しくは、かつらの浮き上がりを防止する技術等に関する。
【背景技術】
【０００２】
かつらは、一般的に薄毛に悩む人が薄毛を隠すために装着するものであり、実際の人の頭部であるかのように見えるものでなければならない。
また、装着者は、蒸れ等がなく快適なかつらを好むため、一方の耳の上から後頭部に沿って他方の耳の上まで延びるフレームと、このフレーム内に架け渡され毛髪が植毛された線状部材とを備えることで、快適に装着できるようにしたかつらが提案されている（例えば、特許文献１参照）。
【０００３】
また、ヘアーエクステンションを簡易迅速に密着させて取り付けることができるように、一部に伸縮性部材を有する複数のリング状の縁部材を、縦方向に延びる複数の連結部材により連結してなるヘアーエクステンションが提案されている（例えば、特許文献２参照）。
【０００４】
しかしながら、上記特許文献１記載のかつらは、単に両耳の間にフレームを配置するだけで装着することになるため、簡単にずれてしまう。
また、上記特許文献２記載のエクステンションは、リング状の縁部材に伸縮性を有する部材を配置していることで、頭部の形に合うように取付けることはできるが、装着しているうちに縁部材が徐々に頭頂部側にずれてしまう。そのため、上記特許文献２記載のエクステンションの縁部材をかつらに適用しても、かつらが簡単にずれることになる。
【０００５】
以上のようにかつらがずれると、周囲の人に著しい違和感を与えてしまう。そのため、かつらを装着者の頭部に取付ける場合には、かつらベースの周縁部と装着者の自毛とを結着等により固定する手法もとられている（例えば、特許文献３参照）。
【特許文献１】特開平１１−８１０２２号公報
【特許文献２】実開平５−２７０１６号公報
【特許文献３】特許第３７６３３６３号公報
【発明の開示】
【発明が解決しようとする課題】
【０００６】
しかしながら、上記特許文献３記載の固定方法では、月日が経つにつれ自毛が伸びると、かつらが浮き上がってしまう。このようにかつらが浮き上がってしまうと、周囲の人に著しい違和感を与えてしまう。そのため、かつらを再装着する必要或いは新たなかつらに変更する必要が生じ、装着者にとっては大きな負担となってしまう。
【０００７】
本発明の課題は、上記従来の実情に鑑み、かつらの浮き上がりを防止することができるかつらベース及びかつらを提供することである。
【課題を解決するための手段】
【０００８】
上記課題を解決するために、本発明のかつらベースは、外枠部材と、人毛又は人工毛からなる毛髪が植毛されるベース部材と、上記外枠部材と上記ベース部材との間に設けられた伸縮性部材と、を備える構成とする。
【０００９】
また、上記ベース部材は、上記毛髪が植毛され互いに同一方向に延びる複数の線状部材を有する構成とする。
また、上記伸縮性部材は、上記外枠部材と略平行に延びるベース側伸縮部、及び、このベース側伸縮部と上記外枠部材との間に架け渡された複数の外枠側伸縮部を有する構成とする。
【００１０】
また、上記伸縮性部材と上記ベース部材との間に設けられた内枠部材を更に備える構成とする。
また、上記外枠部材は、平面視略Ｕ字状を呈する構成とする。
【００１１】
上記課題を解決するために、上記いずれかの構成のかつらベースと、このかつらベースのベース部材に植毛された毛髪と、を備える構成とする。
【発明の効果】
【００１２】
本発明では、外枠部材とベース部材との間に設けられた伸縮性部材を多少伸ばした状態にして配置すれば、例えば、外枠部材と自毛とを結着等により固定しても、自毛の伸びに合わせて伸縮性部材を縮ませることができる。したがって、自毛の伸びに伴うベース部材の浮き上がりを防止することができる。
【００１３】
一方、伸縮性部材を縮めた状態にして配置すれば、例えば、ベース部材が装着者の自毛等により下方から押し上げられても、それに合わせて伸縮性部材を伸ばすようにすることができる。したがって、ベース部材が押し上げられることに伴う外枠部材の浮き上がり、ひいては、この浮き上がりにより自毛が引っ張られるのを防止することができる。
【００１４】
よって、本発明によれば、かつらの浮き上がりを防止することができる。
【発明を実施するための最良の形態】
【００１５】
以下、本発明の実施の形態に係るかつらベース及びかつらについて、図面を参照しながら説明する。
図１は、本発明の一実施の形態に係るかつら１を示す平面図である。
【００１６】
図２は、上記かつら１を人の頭部１０に装着した状態を示す側面図である。
かつら１は、かつらベース２に人毛又は人工毛からなる毛髪３（便宜上、一部のみ図示）を植毛してなる。かつらベース２は、平面視略Ｕ字状を呈する外枠部材４と、人毛又は人工毛からなる毛髪３が結着等により植毛されるベース部材５、外枠部材４とベース部材５との間に設けられた２つの伸縮性部材６，６とを備える。
【００１７】
外枠部材４には、その先端部間の開口幅を調整できるようにするべく、可撓性を有する線状の硬質な部材を用いている。
ベース部材５は、毛髪３が植毛され互いに同一方向（図１における左右方向）に延びる複数の線状部材５ａを一定間隔で配置してなる。線状部材５ａには、釣り糸のように細くて強度のあるものを用いるとよい。
【００１８】
２つの伸縮性部材６，６は、ベース部材５を挟むように左右に１つずつ形成されている。各伸縮性部材６は、外枠部材４と略平行に延びるベース側伸縮部６ａ、及び、このベース側伸縮部６ａと外枠部材４との間に一定間隔で架け渡された複数の外枠側伸縮部６ｂから構成されている。
【００１９】
なお、各部材の接続は、例えば、外枠部材４に外枠側伸縮部６ａを結着し、ベース側伸縮部６ｂに線状部材５ａ及び外枠側伸縮部６ａを結着させればよい。また、結着部分に硬化剤を塗布して結着部分を補強するとよい。
【００２０】
図２に示すように、かつら１を人の頭部１０に装着する際には、外枠部材４の開口側を頭部１０の前方に向くようにし、伸縮性部材６が多少伸びた状態となる位置で外枠部材４に頭部１０の自毛１０ａを結着する。また、ベース部材５の線状部材５ａの間から、自毛１０ａ（便宜上、一部のみ図示）をブラシ等により引き出す。なお、自毛１０ａの結着部分についても、硬化剤を塗布して補強するとよい。
【００２１】
なお、図２に示すように、外枠部材４の両側の先端部４ａは、安全性の観点等から頭部１０に沿って反り返っている。外枠部材４への自毛１０ａの結着位置は、外枠部材４の先端部４ａを含む複数位置とするとよい。
【００２２】
図３に示すように、かつら１を装着して一定期間が経過すると、自毛１０ａの伸びに合わせて外枠部材４が装着時の位置（点線で示す４´）から浮き上がってくる。しかしながら、本実施の形態のかつら１は、伸縮性部材６が縮むことにより、ベース部材５の浮き上がりが防止される。
【００２３】
なお、自毛１０ａが比較的多い装着者の場合や、ベース部材５がネットや人工皮膚からなる場合には、外枠部材４が浮き上がるのよりも先にベース部材５が下方から押し上げられることがある。その場合には、かつら１の装着時に伸縮性部材６を縮めた状態で配置するとよい。
【００２４】
なお、本実施の形態では、図３に示すかつら１を頭部１０の中央に配置しているが、かつら１は、頭部１０のいずれの位置であっても、また、頭部１０の一部又は全部に配置されるものであってもよい。
【００２５】
また、本実施の形態では、外枠部材４を略Ｕ字状として説明したが、円形状その他の形状とすることもできる。また、外枠部材４を、可撓性を有する線状部材として説明したが、ある程度の幅を有する部材、軟質の部材などであっても、伸縮性部材６を接続し得るものであればよい。更には、外枠部材４には、自毛１０ａを結着するのではなく、自毛を挟み込むピンを取付け、このピンで外枠部材４を自毛１０ａに対し固定するようにしてもよい。また、外枠部材４に毛髪３を植毛してもよい。
【００２６】
また、本実施の形態では、伸縮性部材６を、ベース部材５を挟むように左右に１つずつ形成する例について説明したが、左右の伸縮性部材６を一体に形成してもよい。その場合には、ベース側伸縮部６ａを外枠部材４と同一向きの平面視略Ｕ字状とするとよい。更には、伸縮性部材６に毛髪３を植毛してもよい。
【００２７】
以上説明した本実施の形態では、外枠部材４とベース部材５との間に設けられた伸縮性部材６を多少伸ばした状態にして配置すれば、例えば、外枠部材４と自毛１０ａとを結着等により固定しても、自毛１０ａの伸びに合わせて伸縮性部材６を縮ませることができる。したがって、自毛１０ａの伸びに伴うベース部材５の浮き上がりを防止することができる。
【００２８】
一方、伸縮性部材６を縮めた状態にして配置すれば、例えば、ベース部材５が装着者の自毛１０ａ等により下方から押し上げられても、それに合わせて伸縮性部材６を伸ばすようにすることができる。したがって、ベース部材５が押し上げられることに伴う外枠部材４の浮き上がり、ひいては、この浮き上がりにより自毛１０ａが引っ張られるのを防止することができる。
【００２９】
よって、本実施の形態によれば、かつら１の浮き上がりを防止することができる。
また、本実施の形態では、ベース部材５は、毛髪３が植毛され互いに同一方向に延びる複数の線状部材５ａを一定間隔で配置してなる。そのため、線状部材５ａの間から装着者の頭部１０の自毛１０ａを引き出すことができる。更には、かつら１の頭部１０への取付けの際に、伸縮性部材６が伸び縮みするため、線状部材５ａを容易に頭部１０へ密着させることができると共に、予め頭部１０に合った寸法でかつらを設計しなければならない手間を省くことができる。
【００３０】
また、本実施の形態では、伸縮性部材６は、外枠部材４と略平行に延びるベース側伸縮部６ａ、及び、このベース側伸縮部６ａと外枠部材４との間に架け渡された複数の外枠側伸縮部６ｂを有する。そのため、伸縮部材６を、ベース側伸縮部６ａの長手方向及び外枠側伸縮部６ｂの長手方向の計２方向に伸び縮みさせることができ、したがって、より一層かつら１の浮き上がりを防止することができる。
【００３１】
また、本実施の形態では、外枠部材４は、平面視略Ｕ字状を呈する。そのため、例えばＵ字の開口側を前頭部側に配置すれば、外枠部材４を前方から視認させにくくすることができる。
【００３２】
更には、本実施の形態では、外枠部材４は、可撓性を有する部材からなる。そのため、かつら１の頭部１０への取付けの際に、伸縮性部材６が伸び縮みすることで、線状部材５ａを容易に頭部１０へ密着させることができると共に、予め頭部１０に合った寸法でかつらを設計しなければならない手間を省くことができる。
【００３３】
図４は、本発明の他の実施の形態に係るかつら１１を示す平面図である。
図５は、上記かつら１１を人の頭部１０に装着した状態を示す側面図である。
本実施の形態のかつら１１は、かつらベース１２の伸縮性部材１６を、上記一実施の形態の外枠側伸縮部６ｂに相当する部分のみに配置し、ベース側伸縮部６ａに相当する部分に内枠部材１７を配置した点を除いては、上記一実施の形態のかつら１と概ね同様であるため、上記一実施の形態と同一の部材には図面に同一の符号を付して説明を省略する。
【００３４】
内枠部材１７は、伸縮性部材１６とベース部材５との間に設けられている。内枠部材１７には、外枠部材４と同様に、線状の部材を用いているが、ベース部材５と伸縮性部材１６との間に位置するものであれば線状に限定されない。
【００３５】
以上説明した本実施の形態においても、上記一実施の形態と同様に、自毛１０ａの伸びに伴うベース部材５の浮き上がり、及び、ベース部材５が押し上げられることに伴う外枠部材４の浮き上がりを防止することができ、したがって、かつら１１の浮き上がりを防止することができる。
【００３６】
また、本実施の形態では、内枠部材１７は、伸縮性部材１６とベース部材５との間に設けられる。そのため、内枠部材１７によりベース部材５の形状を保ちつつ、伸縮性部材１６の伸縮により、かつら１１の浮き上がりを有効に防止することができる。
【図面の簡単な説明】
【００３７】
【図１】本発明の一実施の形態に係るかつらを示す平面図である。
【図２】本発明の一実施の形態に係るかつらを人の頭部に装着した状態を示す側面図である。
【図３】本発明の一実施の形態に係るかつらの装着後一定期間が経過した状態を示す側面図である。
【図４】本発明の他の実施の形態に係るかつらを示す平面図である。
【図５】本発明の他の実施の形態に係るかつらを人の頭部に装着した状態を示す側面図である。
【符号の説明】
【００３８】
１      かつら
２      かつらベース
３      毛髪
４      外枠部材
４ａ      先端部
５      ベース部材
５ａ      線状部材
６      伸縮性部材
６ａ      ベース側伸縮部
６ｂ      外枠側伸縮部
１０      頭部
１０ａ      自毛
１１      かつら
１２      かつらベース
１６      伸縮性部材
１７      内枠部材
【図１】
2010007213.tif 000003
【図２】
2010007213.tif 000004
【図３】
2010007213.tif 000005
【図４】
2010007213.tif 000006
【図５】
2010007213.tif 000007